(57)【要約】  本発明は、追撃砲用弾丸などの弾丸（１）を後装式武器の砲身内に支持するための装置に関する。装置は、追撃砲用弾丸の尾部に固定される支持要素（８）を備えている。当該要素は、縁フランジ（８７）と、前記支持要素を追撃砲用弾丸（１）の尾部に固定するための手段と、追撃砲用弾丸を発砲するために追撃砲用弾丸（１）の現行のプライマー（５）に点火するための点火手段（９）と、を備えている。前記装置は、前記支持要素を弾丸の尾管に固定するための手段が、弾丸の尾管（３）の上に留まる指状の固定部材（８０）であって、弾丸（１）が支持要素（８）内に配置されるときに弾丸（１）と支持要素（８）との間の締まりばめを形成するよう配置される固定部材（８０）によって支持要素（８）内に構成される、ことによって特徴付けられる。本発明はまた、追撃砲用弾丸（１）を後装式武器の砲身内に支持するための支持要素および方法に関する。
2011511252.tif 000002
【特許請求の範囲】
【請求項１】
弾丸を後装式武器の砲身内に支持するための装置において、
弾丸の尾部に固定される支持要素（８）を備え、
前記要素は、
縁フランジ（８７）と、
前記支持要素を弾丸（１）の尾部に固定するための手段と、
弾丸を発砲するために弾丸（１）の現行のプライマー（５）に点火するための点火手段（９）と、を備え、
前記支持要素を弾丸の尾管に固定するための手段は、弾丸の尾管（３）の上に留まる固定部材（８０）であって、弾丸（１）が支持要素（８）内に配置されるときに弾丸（１）と支持要素（８）との間の締まりばめを形成するよう配置される固定部材（８０）によって支持要素（８）内に構成される、ことを特徴とする装置。
【請求項２】
前記固定部材（８０）は、弾丸の尾管（３）上に留まるとともに、弾丸（１）と支持要素（８）との間の締まりばめにおいて弾丸の尾管（３）に対して留まるねじ溝またはその他の対応する突起部が設けられる表面（８１）を有することを特徴とする請求項１に記載の装置。
【請求項３】
弾丸の尾管（３）に配置されたプライマーの固定片（６）の外面（６０）に、ねじ溝またはその他の対応する突起部が設けられることを特徴とする請求項２に記載の装置。
【請求項４】
固定部材（８０）は、ねじ状の固定手段（８５）を配置するためのねじ山が設けられた少なくとも１つの固定用穴（８２）を有し、
前記固定用穴（８２）を介して、ねじ状の固定手段（８５）が弾丸の尾管（３）に対して配置されることを特徴とする請求項１乃至３のいずれかに記載の装置。
【請求項５】
固定用穴（８２）は、弾丸（１）が支持要素（８）の中に配置されるときにねじ状の固定手段（８５）が固定用穴（８２）内に配置され得るよう、弾丸の軸方向に対して直交する方向から逸れた所定の方向において固定部材（８０）に設けられることを特徴とする請求項４に記載の装置。
【請求項６】
固定用穴（８２）の方向は、弾丸の軸方向に対して直交する方向から２０度から８０度逸れていることを特徴とする請求項５に記載の装置。
【請求項７】
固定用穴（８２）は、弾丸の制御羽根の間の空間の中へ延びる少なくとも２つの指状の部分を備えることを特徴とする請求項１乃至６のいずれかに記載の装置。
【請求項８】
支持要素（８）は、指状の固定部材（８０）を有し、
数値上、固定の間、２つの指状の固定部材（８０）は、弾丸（１）における２つの隣接する制御羽根（４）の間を延びていることを特徴とする請求項７に記載の装置。
【請求項９】
後装式武器の砲身内に弾丸を支持するための支持要素において、
縁フランジ（８７）と、
支持要素を弾丸（１）の尾部に固定するための手段と、
弾丸を発砲するために弾丸（１）の現行のプライマー（５）に点火するための点火手段（９）と、を備え、
前記支持要素を弾丸の尾管に固定するための手段は、弾丸の尾管（３）の上に留まる固定部材（８０）であって、弾丸（１）が支持要素（８）内に配置されるときに弾丸（１）と支持要素（８）との間の締まりばめを形成するよう配置される固定部材（８０）によって支持要素（８）内に構成される、ことを特徴とする支持要素。
【請求項１０】
後装式武器の砲身内に弾丸を支持するための方法において、
支持要素が、弾丸（１）の尾部に固定され、
支持要素（８）は、
縁フランジ（８７）と、
支持要素を弾丸（１）の尾部に固定するための手段と、
弾丸を発砲するために弾丸（１）の現行のプライマー（５）に点火するための点火手段（９）と、を備え、
固定の際に前記支持要素（８）が用いられ、この場合、支持要素を弾丸の尾部に固定するための手段は、弾丸の尾管（３）の上に留まる固定部材（８０）であって、弾丸（１）の尾管（３）および支持要素（８）を互いに向けて押し出すことによって弾丸（１）と支持要素（８）との間の締まりばめを形成する固定部材（８０）によって、支持要素（８）内に構成される、ことを特徴とする方法。
【発明の詳細な説明】
【技術分野】
【０００１】
本発明は、追撃砲用弾丸などの弾丸を後装式武器（breech loading weapon）の砲身内に支持するための装置に関する。当該装置は、追撃砲用弾丸の尾部に固定される支持要素を備えており、当該要素は、縁フランジを有する後方部分と、支持要素を追撃砲用弾丸の尾部に固定するための手段と、支持要素において追撃砲用弾丸を発砲するために追撃砲用弾丸の現行のプライマーに点火するための点火部材と、を備えている。
【０００２】
本発明はさらに、弾丸に固定される支持要素、および、弾丸を後装式武器の砲身内に支持する方法に関係しており、縁フランジを有する後方部分と、支持要素を追撃砲用弾丸の尾部に固定するための手段と、支持要素において追撃砲用弾丸を発砲するために追撃砲用弾丸などの弾丸の現行のプライマーに点火するための点火部材と、を備えている。
【背景技術】
【０００３】
今日、迫撃砲(mortar)は、可動ベース上に配置される。これによって、迫撃砲をあちこちへ移動させることができ、従って、砲床から迅速に移動させることができる。そのような解決策における問題は、前記ベース、すなわち車両が、起こりうる攻撃に対して自分自身を防御する能力、および、地上における近距離の標的を破壊するためのベースの使用である。重い追撃砲を有する可動ベースは、通常、追撃砲に加えて重い防御用の設備を運ぶことができない。その代わりに、大抵の場合、重いマシンガンまたは対応する軽い装甲板が設けられる。そのような状況において、車両は、水平方向または下方への発砲のために追撃砲を使用することができる必要があるが、通常の追撃砲用弾丸および追撃砲は、それに適していない。滑らかな砲身を有する通常の追撃砲の内側の追撃砲用弾丸は、追撃砲が砲身において水平方向または下方へ向けられるときに、砲身から落ちる、または、追撃砲用弾丸が発射されない程度まで移動するよう動き得る。
【０００４】
この問題は、国際特許出願ＦＩ９８／０００６４による解決策において解決されている。この場合、独立した制御片(control piece)およびロック片（locking piece）が、機械的ロックによって従来の追撃砲用弾丸の尾部に取り付けられている。ロック片は、発砲とともに砕ける。この解決策においては、別個の部品が追撃砲用弾丸と制御片との間に追加される必要があり、このことは、制御片の固定を複雑にする。
【発明の概要】
【発明が解決しようとする課題】
【０００５】
本発明の目的は、追撃砲の弾丸が、後装式追撃砲の砲身内の適切な位置に十分な確実性をもって留まるとともに、全ての状況において高い信頼性で安全に動作するよう、改良された新規な装置、支持要素および方法を提供することである。
【発明を解決するための手段】
【０００６】
本発明の装置は、支持要素を弾丸の尾管に固定するための手段が、追撃砲用弾丸の尾管の上に留まっている固定部材であって、追撃砲用弾丸と支持要素との間の締まりばめを形成するよう配置される固定部材によって、支持要素内に構成される、ことによって特徴付けられる。
【０００７】
本発明の支持要素は、支持要素を弾丸の尾部に固定するための手段が、追撃砲用弾丸の尾管の上に留まっている固定部材であって、追撃砲用弾丸と支持要素との間の締まりばめを形成するよう配置される固定部材によって、支持要素内に構成される、ことによって特徴付けられる。
【０００８】
本発明の方法は、固定の際に支持要素を用いることによって特徴付けられる。この場合、支持要素を弾丸の尾部に固定するための手段が、追撃砲用弾丸の尾管の上に留まっている固定部材であって、追撃砲用弾丸の尾部に固定される際に追撃砲用弾丸と支持要素との間の締まりばめを形成するよう配置される固定部材によって、支持要素内に構成される。
【０００９】
本発明の思想は、追撃砲用弾丸などの弾丸を、追撃砲用弾丸と支持要素との間の締まりばめによって支持要素に固定することである。締まりばめは、追撃砲用弾丸の尾管の表面上に留まっている固定部材によってもたらされる。固定部材は、例えばフライス加工（milling）によって支持要素内に設けられる。本発明の利点は、火薬ガスの力による発砲の間、別個の壊れやすい部品が固定のために必要とされることなく、追撃砲用弾丸が支持要素と追撃砲用弾丸との間の締まりばめから放たれることである。
【００１０】
尾管の表面上に留まっている固定部材の寸法および位置は、固定部材の内面によって構成される円周の直径が、支持要素内に配置される追撃砲用弾丸の尾管の外径よりもわずかに小さくなるよう、固定部材の中に配置される追撃砲用弾丸の尾管に応じて決定される、ということが、本発明の一形態における思想である。支持要素と追撃砲用弾丸の尾管の間の締まりばめは、固定が、必要とされる全ての温度および全ての動作環境において動作するのに十分となるよう選択される。利点は、固定のために別個の部品が必要とされない、ということである。
【００１１】
本発明のその他の形態の本質的な思想は、尾管の上に留まっている固定部材が、指状のものであり、また制御フィンの間の空間の中へ尾管上で延びている、ということである。
【００１２】
本発明の第３の形態の本質的な思想は、弾丸の尾管の上に留まっている支持要素の固定部材の表面が、弾丸と支持要素との間の締まりばめにおいて、弾丸の尾管に対して押圧されるねじ溝またはその他の対応する突起部を有する、ということである。ねじ溝または突起部は、弾丸の尾部に設けられていてもよく、例えば、弾丸の尾管の中に配置されたプライマーの固定片の外面に設けられ得る。利点は、固定のために別個の部品が必要とされず、また締まりばめにおける部品の間の摩擦を追加するため、対向する部品の成形が利用され得るということである。
【００１３】
本発明の第４の形態の本質的な思想は、固定部材が、ねじ山を有する固定用穴を有し、この穴に、ねじ状の固定手段がねじ込まれ得る、ということである。固定手段は、固定用穴を介して弾丸の尾管に対してねじ込まれ得る。固定用穴は、弾丸が支持部材の中に配置されるとき、ねじ状の固定手段が固定用穴の中に配置されるよう、弾丸の軸方向に対して直交する方向から逸れた方向において指状の固定部材に設けられる。固定用穴の方向は、弾丸の軸方向に対して直交する方向から、好ましくは２０度から８０度逸れており、より好ましくは３０度から７０度逸れている。実際には、縁ジャケットの長さが固定用穴の角度を決定する。実際には、角度は、弾丸が支持要素の内側に配置されるときにねじが締結されて固定され得るよう設定される。固定用穴は、支持要素の底部から上方に延びる１つまたは２つ以上の指状の固定部材に設けられていてもよい。利点は、締まりばめにおける部品間の摩擦が増加されるということである。
【００１４】
指状の固定部材は、固定の間、１つの固定部材の代わりに２つの指状の固定部材が、弾丸の２つの隣接する制御羽根の間に延びるよう、支持要素に数値的には設けられる、ということが、本発明の第５の形態の本質的な思想である。
【図面の簡単な説明】
【００１５】
【図１Ａ】図１Ａは、本発明の装置によって武器の砲身の中に支持されている弾丸を示す図。
【図１Ｂ】図１Ｂは、図１Ａの装置を背面から見た場合を示す図。
【図２】図２は、弾丸に固定された本発明の支持要素を背面から見た場合を示す部分断面図。
【図３】図３は、本発明の支持要素に固定された弾丸を側方から見た場合を示す部分断面図。
【図４】図４は、本発明のその他の支持要素に固定された弾丸を側方から見た場合を示す部分断面図。
【図５】図５は、本発明のその他の支持要素に固定された弾丸を側方から見た場合を示す部分断面図。
【図６】図６は、本発明のその他の支持要素に固定された弾丸を側方から見た場合を示す部分断面図。
【図７】図７は、図６に示される支持要素に固定された弾丸を側方から見た場合を示す部分断面図。
【図８】図８は、弾丸に固定された本発明のその他の形態による支持要素を背面から見た場合を示す部分断面図。
【図９】図９は、図８による方法で固定された弾丸を側方から見た場合を示す部分断面図。
【発明を実施するための形態】
【００１６】
図において、本発明の一部の形態は、明確さのために簡略化された方法で示されている。図において、同一の部分には同一の参照数字が付されている。
【００１７】
図１Ａにおいて、弾丸１が、後装式武器の砲身２の中に配置されている。武器は、概して滑らかな内面からなる砲身２を有する追撃砲であってもよい。弾丸１の後部は、尾管３と尾部とを備えている。尾部は、弾丸１の軌道に影響を及ぼすための１つまたは典型的には複数の制御羽根４を備えている。弾丸１の構造の詳細は、図に示されている構造から逸脱していてもよい。明確さのため、武器のロックおよびその他の詳細は示されていない。本発明による支持要素８は、発砲されるまで弾丸１を砲身２の所定位置に保持するため尾部に固定されている。支持要素８の縁フランジ８７は、砲身２が水平方向に向けられるとき、または、砲身２が下方へ向けられるときであっても、弾丸１が砲身２内において前方へ変位するのを防ぐ。さらに、武器の砲身の背面は、溝または凹部を有していてもよい。支持要素８が設けられた弾丸１が砲身の中に装填されるとき、支持要素８に属している縁フランジ８７が溝または凹部の中に留まっていてもよい。支持要素８は、弾丸１の質量により生じる負荷だけでなく、振動および加速により生じる力にも耐えるよう寸法決めされている。
【００１８】
図１Ｂは、図１Ａによる武器の砲身に配置された支持要素８を背面から見た場合を示している。支持要素８の中心部は、弾丸の現行のプライマーを点火するための点火部材９となっている。
【００１９】
以下において、本発明の装置および支持要素の構造が、図２乃至９を参照して説明される。
【００２０】
図２は、弾丸に固定された本発明の支持要素を背面から見た場合の部分的な断面を示している。この場合、指状の固定部材８０が、支持要素８の中心部に配置されている。支持要素の中心の形状は、例えば、支持要素の端部から上方に延びる突起部をはじめに木摺（lathing）することにより提供されてもよい。突起部は、その後、中間の点火ピンの表面まで、網の目のようにフライス加工される。このようにして、４つの上方へ延びる指状の固定部材が、支持要素の中心部にもたらされる。これらの固定部材は、固定の際、制御羽根４の間で弾丸の尾管３の外面上に留まっている。固定部材８０の数は変更されてもよい。２つの固定部材８０が各制御羽根４の間に配置されるのが適している。また、固定は、固定部材８０をいくつかの制御羽根の間にのみ配置することによって実施されてもよい。
【００２１】
図３は、支持要素に固定された弾丸を示している。支持要素８は、端部８６と、縁ジャケット８８と、縁フランジ８７と、を備えている。支持要素８の縁フランジ８８は、弾丸の尾部の少なくとも一部がその中に留まり得るよう寸法決めされている。また、支持要素８の中心部は、弾丸の現行のプライマー５を発砲するための点火手段９となっている。
【００２２】
支持要素の中心部において、指状の固定部材８０は、それらが弾丸と制御羽根との間で尾管３上に留まるよう、弾丸の方向において点火手段９の上側の表面から延びている。固定部材８０の固定面８１は、弾丸の尾管に対して留まっている表面となっている。固定面の間の距離は、弾丸を支持要素８に固定する間、堅固な嵌め合いが固定部材８０と尾管との間に形成されるよう、前記支持要素に配置される弾丸の尾管の直径に応じて寸法決めされる。
【００２３】
図４は、本発明によるその他の支持要素８に固定された弾丸を示している。ここで、所定のパターン、先のとがった歯部が、固定部材８０の固定面８１に機械加工されている。この歯部は、固定における摩擦が、部品が互いに向かって移動する場合よりも、部品が互いに引き下がるよう試みられる場合により大きくなるよう、弾丸の尾管３と支持要素との間の締まりばめを高めている。固定部材８０の固定面８１は、固定の間に尾管３に対して押圧される、粗いのこぎり歯、ねじ溝またはその他の対応する突起部を備えていてもよい。
【００２４】
図５は、図４に示される支持要素８に固定された弾丸を示している。この形態において、ねじ溝またはその他の対応する突起部が、弾丸の尾管３に配置されたプライマーの固定片６の外面６０に配置されている。このため、固定部材８０の固定面の成形（shaping）の一部が弾丸の尾管３に対して押圧され、また、成形の一部がプライマーの固定片の外面６０に対して押圧される。
【００２５】
図６および図７は一形態を示しており、この場合、固定部材８０が、固定用穴８２を有しており、この穴を介してねじ状の固定手段８５が弾丸の尾管３に対してねじ込まれ得る。
【００２６】
ねじ状の固定手段８５は、例えば、アレンレンチなどの手段によって弾丸の尾管３にねじ込まれ得る保持用ねじであってもよい。保持用ねじは、先がとがっており、これによって、先端部が尾管へより容易に押圧される。発砲の間、尾管の長さ方向における短い軌道が、尾管の尾端部でねじ先端部により形成される。固定用穴において、使用されている保持用ねじに対応するねじ山がねじ切りされている。
【００２７】
固定用穴８２は、弾丸１が支持要素８に配置されるとき、ねじ状の固定手段８５が固定用穴８２の中に配置されるよう弾丸の軸方向に対して直交する方向から逸れた方向（図において参照符号Ａで示されている）において指状の固定部材８０に設けられている。固定用穴８２の方向は、弾丸１の軸方向に対して直交する方向から、好ましくは２０度から８０度逸れており、より好ましくは３０度から７０度逸れている。角度は、支持要素８の縁ジャケット８８の上端から固定用穴８２に向かってツールが配置され得るよう決定される。前記角度によるねじ状の固定手段８５、例えば保持用ねじは、尾部を、支持要素８および点火手段９に対して押圧する。そのような支持要素において、加工時間はわずかに長くなっているが、しかし、別個の破壊リングは必要とされない。
【００２８】
図８は、弾丸に固定された本発明の支持要素を背面から見た場合の部分的な断面示している。この場合、固定部材８０は、支持要素の底部から弾丸の尾部に向かって延びるスリーブ状または円筒状の突起部として、支持要素８の中心部に配置されている。支持要素の中心の形状は、例えば、はじめに、支持要素の端部から上方に延びる突起部を木摺（lathing）することによって提供される。その後、突起部に対して、弾丸の尾部を受け入れるための空間がフライス加工される。このような方法において、支持要素の中心部は、上方に延びる固定部材を有している。この固定部材は、固定の間、弾丸の尾管３の外面上に留まっている。
【００２９】
図９は、支持要素に固定される弾丸を示している。支持要素８は、端部８６と、縁ジャケット８８と、縁フランジ８７とを有している。支持要素８の縁ジャケット８８は、少なくとも弾丸の尾部の一部が支持要素８の内側に留まるよう寸法決めされる。支持要素８の中心部は、さらに、弾丸の現行のプライマーを点火するための点火手段９を有している。
【００３０】
支持要素の中心部は、弾丸の方向において点火手段９の上側の表面から延びる固定手段８０を有している、ここで、固定手段８０は、弾丸の尾管３の上に留まっている。固定部材８０の固定面８１は、弾丸の尾部に対して留まっている面となっている。固定部材８０に形成される内径は、支持要素８への弾丸の固定の間、堅固な勘合が固定部材８０と尾管との間に形成されるよう、前記支持要素の中に配置される弾丸の尾部の外径に応じて寸法決めされる。図は、弾丸の制御羽根４の後方部分が、固定部材８０が尾管３に固定され得るよう成形されるのを示している。このため、支持要素は、尾管に、その外径の全ての部分に沿って固定される。図４乃至７に示される解決法が、図８および９に示される支持要素８の固定部材８０の構造に関係していてもよい、ということが留意される。
【００３１】
技術の進歩につれて、本発明の基本的な思想が様々な方法で実施され得る、ということは、当業者によって自明である。従って、本発明およびその形態は、上述の例には限定されず、請求項の範囲の中で変化し得る。
【図１Ａ】
2011511252.tif 000003
【図１Ｂ】
2011511252.tif 000004
【図２】
2011511252.tif 000005
【図３】
2011511252.tif 000006
【図４】
2011511252.tif 000007
【図５】
2011511252.tif 000008
【図６】
2011511252.tif 000009
【図７】
2011511252.tif 000010
【図８】
2011511252.tif 000011
【図９】
2011511252.tif 000012
【国際調査報告】
2011511252.tif 000013
2011511252.tif 000014
2011511252.tif 000015